(57)【要約】【課題】容易に二次像担持体を着脱する。【解決手段】画像形成装置本体を主体部１０Ａと副体部１０Ｂとで構成し、主体部１０Ａには、４つの作像装置Ａ・Ｂ・Ｃ・Ｄ、一次像担持装置Ｅなどを備え、副体部１０Ｂには、二次像担持装置Ｆなどを備え、副体部１０Ｂを主体部１０Ａに対して開閉自在とする。そして、主体部１０Ａにあるベルト状の一次像担持体２０の内部に、作像装置Ａ・Ｂ・Ｃ・Ｄから一次像担持装置Ｅに向かって画像を転写するべく第１バイアス電圧を印加するための第１バイアス制御基板（別のバイアス制御基板）６０と、一次像担持装置Ｅから二次像担持装置Ｆに向かって画像を転写するべく第２バイアス電圧を印加するための第２バイアス制御基板（バイアス制御基板）６１とを備える。【選択図】　　　　図２
2004133201.tif 000002
【特許請求の範囲】
【請求項１】
作像担持体上に画像を形成する作像装置と、その作像担持体上の画像を作像転写手段で転写して一次像担持体上に担持する一次像担持装置と、その一次像担持体で担持する画像を一次転写手段で転写して二次像担持体上に担持する二次像担持装置と、それら一次像担持装置と二次像担持装置との間に記録媒体を通して搬送する媒体搬送装置とを備え、
その媒体搬送装置で搬送する記録媒体の表裏に、前記一次像担持体上に担持する第２の画像を前記一次転写手段で転写するとともに、前記二次像担持体上に担持する第１の画像を二次転写手段で転写して、前記記録媒体の両面に同時に画像を形成する同時両面画像形成装置において、
前記一次転写手段が、前記一次像担持体側に備える転写部材を有し、その転写部材に対するバイアス電圧の印加をバイアス制御基板により制御することを特徴とする、同時両面画像形成装置。
【請求項２】
前記一次像担持体をエンドレスベルト状とし、そのエンドレスベルト状の一次像担持体を掛け回す一次ローラの１つを前記転写部材としても利用することを特徴とする、請求項１に記載の同時両面画像形成装置。
【請求項３】
画像形成装置本体を主体部と、その主体部に対して開閉自在な副体部とで構成し、前記作像装置と前記一次像担持装置と前記バイアス制御基板とを前記主体部側に備え、前記二次像担持装置を前記副体部側に備えることを特徴とする、請求項１または２に記載の同時両面画像形成装置。
【請求項４】
前記一次像担持体をエンドレスベルト状とし、掛け回すそのエンドレスベルト状の一次像担持体内に前記バイアス制御基板を配置することを特徴とする、請求項１ないし３のいずれか１に記載の同時両面画像形成装置。
【請求項５】
前記作像転写手段に対するバイアス電圧の印加も、前記バイアス制御基板で制御することを特徴とする、請求項１ないし４のいずれか１に記載の同時両面画像形成装置。
【請求項６】
前記エンドレスベルト状の一次像担持体内に前記バイアス制御基板とは別のバイアス制御基板を別体に配置し、その別のバイアス制御基板により前記作像転写手段に対するバイアス電圧の印加を制御することを特徴とする、請求項４に記載の同時両面画像形成装置。
【請求項７】
前記一次転写手段に、前記二次像担持体を挟んで前記転写部材に対向して裏当て部材をアースして備えることを特徴とする、請求項１ないし６のいずれか１に記載の同時両面画像形成装置。
【発明の詳細な説明】
【０００１】
【発明の属する技術分野】
この発明は、作像装置で作像した第１の画像を一次像担持装置に転写して担持し、その第１の画像を二次像担持装置に転写した後、作像装置で別途作像した第２の画像を一次像担持装置に転写して担持してから、第１の画像と第２の画像を記録媒体の両面に転写する同時両面画像形成装置に関する。
【０００２】
【従来の技術】
従来の両面画像形成装置としては、作像装置で作像した第１の画像を、記録媒体の一方の面に転写した後、反転装置にて記録媒体を反転した後、前記作像装置で別途作像した第２の画像を記録媒体の他方の面に転写するものがある。
【０００３】
しかし、このような両面画像形成装置では、第１の画像を記録媒体の一方の面に転写した後、反転装置にて記録媒体を反転させるため、記録媒体の両面に画像を転写する時間がかかるという問題があった。そこで、記録媒体の両面にほぼ同時に画像を形成することができる次のような同時両面画像形成装置が提案されている。
【０００４】
【特許文献１】
特開２０００−３５２８８９号公報
【０００５】
この同時両面画像形成装置は、装置内を通る記録媒体の両面側にそれぞれ作像装置を備え、それらの作像装置で別々の画像を形成して、その画像を記録媒体の両面にほぼ同時に転写する。
【０００６】
しかし、このような同時両面画像形成装置では、作像装置を記録媒体の両面側に設けるため、装置が大型化するという問題があった。そこで、つぎのような同時両面画像形成装置が提案されている。
【０００７】
【特許文献２】
特開２０００−２９３０６５号公報
【０００８】
この同時両面画像形成装置では、イエロー、マゼンダ、シアン、ブラックの４つの現像手段により、４つの作像担持体にそれぞれトナー画像を作像し、その第１の画像を転写手段により像担持体に転写して第１の画像を形成した後、それぞれの作像担持体に別途トナー画像を作像する。そして、媒体搬送装置により搬送されてきた記録媒体の表面に像担持体に担持された第１の画像を転写するとともに、４つの作像担持体に作像された４色のトナー像を転写して第２の画像を裏面に形成して、記録媒体の両面に画像を形成する。
【０００９】
しかし、このような同時両面画像形成装置では、記録媒体の裏面に４つの作像担持体が接触して第２の画像が転写されるので、記録媒体に塵などが付着している場合、画像の転写によってその塵が作像担持体に付着して、その後の作像の際に、不鮮明な画像を作像するという問題がある。そこで、図４に示すような同時両面画像形成装置が提案されている。
【００１０】
この同時両面画像形成装置は、装置本体の主体部１に、作像装置２と一次像担持装置３を備え、装置本体の副体部４には、二次像担持装置５を備える。さらに、一次像担持装置３の一次像担持体６の内部には、第１バイアス制御基板８を備え、二次像担持装置５の二次像担持体７の内部には、第２バイアス制御基板９を備える。また、副体部４を主体部１に対して開閉自在とする。
【００１１】
そして、作像装置２で作像した第１の画像を第１バイアス制御基板８により一次転写手段２ａに第１バイアス電圧を印加して一次像担持装置３に転写して担持し、その第１の画像を第２バイアス制御基板９により二次転写手段５ａに第２バイアス電圧を印加して二次像担持装置５に転写した後、作像装置２で別途作像した第２の画像を第１バイアス制御基板８により第１バイアス電圧を印加して一次像担持装置３に転写して担持してから、一次像担持体６と二次像担持体７との間に記録媒体を通して、第１の画像と第２の画像を記録媒体の両面にほぼ同時に転写する。
【００１２】
【発明が解決しようとする課題】
しかし、このような同時両面画像形成装置では、二次像担持体７を取り出す際に、その内部に備えた第２バイアス制御基板９も取り出さなければならない。このため、第２バイアス制御基板９の電気的接続を一旦切断する必要があり、二次像担持体７が取り出しにくいという問題があった。
【００１３】
そこで、この発明の第１の目的は、容易に二次像担持体を着脱することにある。
【００１４】
この発明の第２の目的は、構成簡単な同時両面画像形成装置を提供することにある。
【００１５】
この発明の第３の目的は、同時両面画像形成装置を小型化することにある。
【００１６】
この発明の第４の目的は、安価な同時両面画像形成装置を提供することにある。
【００１７】
この発明の第５の目的は、転写を確実に行うことにある。
【００１８】
【課題を解決するための手段】
そのため、請求項１に記載の発明は、上述した第１の目的を達成すべく、作像担持体上に画像を形成する作像装置と、その作像担持体上の画像を作像転写手段で転写して一次像担持体上に担持する一次像担持装置と、その一次像担持体で担持する画像を一次転写手段で転写して二次像担持体上に担持する二次像担持装置と、それら一次像担持装置と二次像担持装置との間に記録媒体を通して搬送する媒体搬送装置とを備え、その媒体搬送装置で搬送する記録媒体の表裏に、前記一次像担持体上に担持する第２の画像を前記一次転写手段で転写するとともに、前記二次像担持体上に担持する第１の画像を二次転写手段で転写して、前記記録媒体の両面に同時に画像を形成する同時両面画像形成装置において、前記一次転写手段が、前記一次像担持体側に備える転写部材を有し、その転写部材に対するバイアス電圧の印加をバイアス制御基板により制御することを特徴とする。
【００１９】
請求項２に記載の発明は、上述した第２の目的を達成すべく、請求項１に記載の同時両面画像形成装置において、前記一次像担持体をエンドレスベルト状とし、そのエンドレスベルト状の一次像担持体を掛け回す一次ローラの１つを前記転写部材としても利用することを特徴とする。
【００２０】
請求項３に記載の発明は、上述した第１の目的を達成すべく、請求項１または２に記載の同時両面画像形成装置において、画像形成装置本体を主体部と、その主体部に対して開閉自在な副体部とで構成し、前記作像装置と前記一次像担持装置と前記バイアス制御基板とを前記主体部側に備え、前記二次像担持装置を前記副体部側に備えることを特徴とする。
【００２１】
請求項４に記載の発明は、上述した第３の目的を達成すべく、請求項１ないし３のいずれか１に記載の同時両面画像形成装置において、前記一次像担持体をエンドレスベルト状とし、掛け回すそのエンドレスベルト状の一次像担持体内に前記バイアス制御基板を配置することを特徴とする。
【００２２】
請求項５に記載の発明は、上述した第４の目的を達成すべく、請求項１ないし４のいずれか１に記載の同時両面画像形成装置において、前記作像転写手段に対するバイアス電圧の印加も、前記バイアス制御基板で制御することを特徴とする。
【００２３】
請求項６に記載の発明は、上述した第４の目的を達成すべく、請求項４に記載の同時両面画像形成装置において、前記エンドレスベルト状の一次像担持体内に前記バイアス制御基板とは別のバイアス制御基板を別体に配置し、その別のバイアス制御基板により前記作像転写手段に対するバイアス電圧の印加を制御することを特徴とする。
【００２４】
請求項７に記載の発明は、上述した第５の目的を達成すべく、請求項１ないし６のいずれか１に記載の同時両面画像形成装置において、前記一次転写手段に、前記二次像担持体を挟んで前記転写部材に対向して裏当て部材をアースして備えることを特徴とする。
【００２５】
【発明の実施の形態】
以下、図面を参照しつつ、この発明の実施の形態につき詳細に説明する。図１には、この発明の一例である同時両面画像形成プリンタの全体概略構成を示す。
【００２６】
図示する同時両面画像形成プリンタは、用紙・ＯＨＰフィルム等の記録媒体Ｐの表裏両面にほぼ同時に画像形成を可能とするものであり、図１に示すように、画像形成装置本体１０内に、例えば、４つの作像装置Ａ・Ｂ・Ｃ・Ｄ、一次像担持装置Ｅ、二次像担持装置Ｆ、媒体搬送装置Ｇ、定着装置Ｈ、排出スタック装置Ｉ、トナー補給装置Ｊなどを備えている。
【００２７】
４つの作像装置Ａ・Ｂ・Ｃ・Ｄは、それぞれイエロ・マゼンタ・シアン・ブラックの各色のトナーを用いて異なる単色画像を形成するものであり、それぞれ回転可能に支持するドラム状の作像担持体１２をタンデム式に並べて備え、それら各作像担持体１２のまわりに、帯電手段１３、現像手段１４、作像転写手段１５、作像クリーニング手段１６、作像除電手段１７を配置している。そして、それらの作像装置Ａ・Ｂ・Ｃ・Ｄの下には、個々の作像担持体１２上を各別に露光する共通の露光手段１８を設けている。
【００２８】
作像担持体１２は、直径が３０から１００ｍｍ程度のアルミニウム円筒表面に、光導電性物質である有機半導体の層を設けた感光体である。この例では、ドラム状のものを用いたが、ベルト状のものを用いてもよい。
【００２９】
露光手段１８は、公知のレーザ方式で、不図示のＬＤ光源からの光を不図示の光学部品で作像担持体１２の表面に向けて照射し、その作像担持体１２の表面を走査してそれに書込みを行うものである。この例では、レーザ方式を用いるが、ＬＥＤアレイと結像部品を用いる露光方式を採用してもよい。
【００３０】
一次像担持装置Ｅは、各作像装置Ａ・Ｂ・Ｃ・Ｄで形成した画像をそれぞれ転写して担持するものであり、エンドレスベルト状の一次像担持体２０を、各作像担持体１２に接触して、各作像担持体１２とそれに対応する各作像転写手段１５との間を通して３つの一次ローラ２１・２２・２３に掛け回し、まわりに一次クリーニング手段２４、裏当てローラ（裏当て部材）２５を配置している。なお、この例では、この裏当てローラ２５と一次ローラ（転写部材）２２とで一次転写手段２６を構成する。
【００３１】
一次像担持体２０は、厚みが５０μｍないし６００μｍの樹脂フィルムまたはゴムを基体としたベルトであり、各作像担持体１２からトナーを転写可能とする抵抗値を有している。
【００３２】
二次像担持装置Ｆは、一次像担持装置Ｅで担持する画像を一次転写して担持するものであり、エンドレスベルト状の二次像担持体３０を、一次像担持体２０に接触してそれとの間で所定の転写ニップを形成し、その一次像担持体２０と裏当てローラ２５との間を通して３つの二次ローラ３２・３３・３４に掛け回し、まわりに二次クリーニング手段３５、二次転写手段３６を配置している。
【００３３】
二次像担持体３０は、一次像担持体２０と同様に、厚みが５０μｍないし６００μｍの樹脂フィルムまたはゴムを基体にしたベルトであり、一次像担持体２０からトナーを転写可能とする抵抗値を有している。
【００３４】
媒体搬送装置Ｇは、一次像担持装置Ｅと二次像担持装置Ｆ間を通過して図中下方から上方へとのびる媒体搬送路を通して記録媒体Ｐを搬送するものであり、上下二段に備えて各々に記録媒体Ｐを収納する媒体収納容器４０と、その各媒体収納容器４０から各々記録媒体Ｐを順次上から一枚ずつ送り出す供給ローラ４１と、それら送り出した記録媒体Ｐを案内する媒体ガイド４２と、その媒体ガイド４２で案内して搬送する記録媒体Ｐの先端を突き当てて止めるレジストローラ４３と、画像定着後の記録媒体Ｐを案内する排出ガイド４４と、その排出ガイド４４で案内して搬送する記録媒体Ｐを矢印ａ方向に排出する排出ローラ４５などを備えている。
【００３５】
定着装置Ｈは、一次像担持装置Ｅおよび二次像担持装置Ｆから記録媒体Ｐに転写した転写画像を定着するものであり、一対の加熱ローラ４７を備えている。
【００３６】
排出スタック装置Ｉは、定着装置Ｈで画像定着後の記録媒体Ｐをスタックするものであり、画像形成装置本体１０上に形成したスタック部５０を備えている。
【００３７】
トナー補給装置Ｊは、各作像装置Ａ・Ｂ・Ｃ・Ｄに粉体ポンプ等を用いて新規トナーを補給するものであり、トナー収納部５２内に各色のトナーカートリッジ５３を備えている。
【００３８】
そして、この同時両面画像形成プリンタで、記録媒体Ｐの表裏両面にカラー画像を形成するときは、不図示のホストからのプリント信号に基づき、作像担持体１２、一次ローラ２１・２２・２３の一つ、二次ローラ３２・３３・３４の一つ、供給ローラ４１などをタイミングを取って回転する。
【００３９】
各作像装置Ａ・Ｂ・Ｃ・Ｄでは、個々の作像担持体１２が図中時計まわりに回転するのにともない、それぞれ各帯電手段１３で表面を一様に帯電し、共通の露光手段１８からの個別の書込み光で書込みを行って色別の潜像を形成し、各現像手段１４で各色のトナーを付着して個々の作像担持体１２上にそれぞれ色別のトナー画像を形成する。図示例では、作像担持体１２上のトナーの帯電極性は、マイナスとする。
【００４０】
一次像担持装置Ｅでは、一次ローラ２１・２２・２３の１つを回転するとともに他の２つの一次ローラを従動回転し、一次像担持体２０を作像担持体１２に同期して図中反時計まわりに回転搬送し、その一次像担持体２０に、各作像転写手段１５によりそれぞれ作像担持体１２上のトナー画像を順次転写し、４色重ね合わせた第１のフルカラー画像（第１の画像）を形成する。
【００４１】
画像転写後、各作像装置Ａ・Ｂ・Ｃ・Ｄの作像担持体１２は、それぞれ残留トナーを作像クリーニング手段１６で除去し、作像除電手段１７で除電する。その後、再び各帯電手段１３で帯電して露光手段１８で書込みを行い、各現像手段１４で現像して個々の作像担持体１２上にそれぞれ再度色別のトナー画像を形成する。
【００４２】
二次像担持装置Ｆでは、二次ローラ３２・３３・３４の１つを回転するとともに他の二次ローラを従動回転し、二次像担持体３０を一次像担持体２０に同期して図中時計まわりに回転搬送し、その二次像担持体３０に、一次ローラ２２と裏当てローラ２５とで構成する一次転写手段２６により、一次像担持体２０上に担持したトナー画像を転写する。
【００４３】
このとき、二次クリーニング手段３５は、支軸５６を中心として回動して二次像担持体３０から離れた、非クリーニング状態にある。
【００４４】
画像転写後、一次像担持装置Ｅの一次像担持体２０は、残留トナーを一次クリーニング手段２４で除去する。その後、再びその一次像担持体２０上に各作像転写手段１５でそれぞれ作像担持体１２上の画像を順次転写し、４色重ね合わせた第２のフルカラー画像（第２の画像）を形成する。
【００４５】
画像転写後、各作像装置Ａ・Ｂ・Ｃ・Ｄの作像担持体１２は、それぞれ残留トナーを作像クリーニング手段１６で除去し、作像除電手段１７で除電して次の作像サイクルに備える。
【００４６】
一方、媒体搬送装置Ｇでは、適宜選択的に供給ローラ４１の１つを回転して媒体収納容器４０内の記録媒体Ｐを送り出し、媒体搬送路の媒体ガイド４２で案内して先端をレジストローラ４３間に突き当てて止め、上述した第１のフルカラー画像および第２のフルカラー画像にタイミングを合わせてレジストローラ４３を回転し、一次像担持体２０と二次像担持体３０との間の転写ニップに送り込む。
【００４７】
そして、一次像担持体２０上に担持する第２のフルカラー画像を一次転写手段２６で転写するとともに、二次担持体３０上に担持する第１のフルカラー画像を二次転写手段３６で転写して表裏両面に画像を転写した後、記録媒体Ｐを定着装置Ｈへと導き、一対の加熱ローラ４７を通して熱と圧力とを加えて両面の転写画像を定着し、排出ガイド４４で案内して排出ローラ４５で画像形成装置本体１０の外に排出し、排出スタック装置Ｉのスタック部５０上に表面を下にしてフェイスダウンでスタックする。
【００４８】
よって、第２頁目を第１のフルカラー画像として先に形成し、次いで第１頁目を第２のフルカラー画像として後に形成し、続けて同様に後の頁を先に形成して記録媒体Ｐの裏面側に転写し、先の頁を後に形成して表面側に転写し、フェイスダウンで出力するようにすれば、スタック部５０上で記録媒体Ｐを頁順に揃えることができる。
【００４９】
このとき、公知の画像処理技術を用いて、一次像担持体２０上の第２のフルカラー画像は、作像担持体１２上では正像とし、二次像担持体３０上の第１のフルカラー画像は、作像担持体１２上では逆像すなわち鏡像とする必要がある。
【００５０】
画像転写後、一次像担持装置Ｅの一次像担持体２０は、残留トナーを一次クリーニング手段２４で除去する。また、二次像担持装置Ｆの二次像担持体３０は、予め、二次クリーニング手段３５を支軸５６を中心として回動して二次像担持体３０に接触させてクリーニング状態とし、その二次クリーニング手段３５で残留トナーを除去し、それぞれ次の画像担持に備える。
【００５１】
使用により、各現像手段１４のトナーがなくなったときには、トナー補給装置Ｊのトナー収納部５２の対応するトナーカートリッジ５３から粉体ポンプ等で搬送して同色のトナーを補給する。
【００５２】
画像形成装置本体１０を主体部１０Ａとその主体部１０Ａに対して開閉自在な副体部１０Ｂとで構成し、ジャムにより記録媒体Ｐの搬送が妨げられたときには、主体部１０Ａに対して副体部１０Ｂを支軸５５を中心として矢印ｄ方向に開き、一次像担持装置Ｅと二次像担持装置Ｆとの間にのびる媒体搬送路を開放してジャム処理を行う。
【００５３】
この同時両面画像形成プリンタで、記録媒体Ｐの片面にフルカラー画像を形成するときは、作像装置Ａ・Ｂ・Ｃ・Ｄの各作像担持体１２上に形成した画像を一次像担持装置Ｅの一次像担持体２０に転写して後、その画像を二次像担持装置Ｆの二次像担持体３０に転写することなく、媒体搬送装置Ｇで搬送する記録媒体Ｐの片面に順次直接転写するようにする。そして、定着装置Ｈで転写画像を定着し、排出スタック装置Ｉにフェイスダウンで頁順に揃えて排出する。
【００５４】
また、図示プリンタで、記録媒体Ｐに二色画像やモノクロ画像を形成するときは、４つの作像装置Ａ・Ｂ・Ｃ・Ｄのうちの対応する色の作像装置を用いて画像を形成し、その画像を一次像担持装置Ｅの一次像担持体２０や二次像担持装置Ｆの二次像担持体３０を介して記録媒体Ｐに転写する。
【００５５】
ところで、図２に示すように、この同時両面画像形成装置の画像形成装置本体１０の主体部１０Ａ側には、４つの作像装置Ａ・Ｂ・Ｃ・Ｄ、一次像担持装置Ｅなどを備え、画像形成装置本体１０の副体部１０Ｂ側には、二次像担持装置Ｆなどを備え、副体部１０Ｂを主体部１０Ａに対して開閉自在とする。
【００５６】
そして、主体部１０Ａにあるエンドレスベルト状の一次像担持体２０を掛け回した内部には、作像装置Ａ・Ｂ・Ｃ・Ｄの各作像転写手段１５に対してトナー極性と反対のプラスの第１バイアス電圧の印加を制御するための第１バイアス制御基板（別のバイアス制御基板）６０と、一次ローラ２２に対してトナー極性と同じマイナスの第２バイアス電圧の印加を制御するための第２バイアス制御基板（バイアス制御基板）６１を別体に備える。
【００５７】
第１バイアス制御基板６０は、作像装置Ａ，Ｂ，Ｃ，Ｄの各作像転写手段１５と電気的に接続されている。一方、第２バイアス制御手段６１は、一次ローラ２２と電気的に接続されている。さらに、第１バイアス制御基板６０と第２バイアス制御基板６１は、それぞれ、同時両面画像形成装置の全体を制御する不図示の制御基板と接続されている。なお、この例では、一次転写手段２６の一次ローラ２２と裏当てローラ２５を二次像担持体３０を挟んで対向して設け、一次ローラ２２を一次像担持体２０側に備え、裏当てローラ２５を二次像担持体３０側にアースして備える。
【００５８】
このように構成された一次像担持体２０を用いて、記録媒体Ｐの両面に画像を形成するには、第１バイアス制御基板６０によりプラスの第１バイアス電圧を作像転写手段１５に印加し、作像装置Ａ・Ｂ・Ｃ・Ｄで作像したマイナス極性の第１のフルカラー画像を一次像担持装置Ｅの一次像担持体２０に引き付けることにより転写する。そして、一次像担持体２０は、この画像を担持しながら矢印ｂの方向に回転する。
【００５９】
その後、第１のフルカラー画像の先端が第１転写位置Ｔｒ１に達すると、第２バイアス制御基板６１によりマイナスの第２バイアス電圧を一次ローラ２２に印加して、一次像担持体２０に担持されたマイナス極性の第１のフルカラー画像を、一次像担持体２０から反発させて矢印ｃの方向に回転する二次像担持体３０の表面に転写する。このとき、二次像担持体３０の裏面に接する裏当てローラ２５はアースされているので、マイナス極性の第１のフルカラー画像を引き付けやすく、転写を確実に行うことができる。
【００６０】
すなわち、一次ローラ２２は、一次像担持体２０上の画像を二次像担持体３０上に転写するための転写部材を兼ねているので、別途、転写部材を設ける必要がなく、部品点数を削減し、装置をコンパクトにすることができる。また、二次転写装置Ｆには、電気的接続を必要とせず、二次転写装置Ｆ側の構造を簡単にすることができる。
【００６１】
その後、作像装置Ａ・Ｂ・Ｃ・Ｄで別途作像したマイナス極性の第２のフルカラー画像を第１バイアス制御基板６０によりプラスの第１バイアス電圧を作像転写手段１５から印加し、一次像担持体２０に引き付けることにより転写する。
【００６２】
第１のフルカラー画像と第２のフルカラー画像のタイミングに合わせて、記録媒体Ｐを一次像担持体２０と二次像担持体３０との間の第１転写位置Ｔｒ１に搬送して、第２バイアス制御基板６１によりマイナスの第２バイアス電圧を一次ローラ２２に印加すると、一次像担持体２０に担持されたマイナス極性の第２のフルカラー画像は、一次像担持体２０から反発して記録媒体Ｐの表面に転写される。さらに、第２転写位置Ｔｒ２において、二次転写手段３６に、プラスのバイアス電圧を印加して、二次像担持体３０に担持された第１のフルカラー画像を記録媒体Ｐの裏面に引き付けることにより転写した後、定着装置Ｈに搬送される。
【００６３】
二次像担持体３０を取り外すときは、図１の画像形成装置本体１０の副体部１０Ｂを支軸５５を中心として矢印ｄ方向に開いて、二次像担持体３０を取り外して、新しい二次像担持体を取り付けた後、副体部１０Ｂを閉じる。このとき、二次像担持体３０には、第２バイアス制御基板６１などの電気部品を備えていないので、接続コネクタなどの電気的接続を切断することなく、容易に二次像担持体３０を取り外し、新しい二次像担持体３０を取り付けることができる。
【００６４】
なお、上述の例では、第１バイアス制御基板６０と第２バイアス制御基板６１を掛け回すエンドレスベルト状の一次像担持体２０内に別体に設けたが、この発明はこれに限定されるものではなく、図３に示すように、第２バイアス制御基板６１で第１転写手段２６に対する第２バイアス電圧の印加を制御するとともに、作像転写手段１５に対する第１バイアス電圧の印加をも制御するようにしてもよい。
【００６５】
また、上述の例では、第１バイアス制御基板６０と第２バイアス制御基板６１を一次像担持体２０の内部に設けたが、この発明はこれに限定されるものではなく、主体部１０Ａに設ければよい。
【００６６】
さらに、上述の例では、フルカラー画像を両面同時に画像形成するプリンタの例について説明したが、この発明はこれに限定されるものではなく、白黒画像を両面同時に画像形成するプリンタや片面に画像を形成するプリンタにも適用し得る。また、プリンタに限らず、ファクシミリ、複写機などのあらゆる画像形成装置に適用し得る。
【００６７】
【発明の効果】
以上のとおり、請求項１に記載の発明によれば、一次転写手段が、一次像担持体側に備える転写部材を有し、その転写部材に対するバイアス電圧の印加をバイアス制御基板により制御するので、一次像担持装置側に転写部材へのバイアス電圧の印加を制御するバイアス制御基板を設けることができ、二次像担持体の取り付け取り外し時に着脱する接続コネクタを二次像担持装置側に設ける必要がなく、容易に二次像担持体を着脱することができる。
【００６８】
請求項２に記載の発明によれば、一次像担持体をエンドレスベルト状とし、そのエンドレスベルト状の一次像担持体を掛け回す一次ローラの１つを転写部材としても利用するので、別途、転写部材を設ける必要がなく、部品点数を削減して構成簡単な同時両面画像形成装置を提供することができる。
【００６９】
請求項３に記載の発明によれば、画像形成装置本体を主体部と、その主体部に対して開閉自在な副体部とで構成し、作像装置と一次像担持装置とバイアス制御基板とを主体部側に備え、二次像担持装置を副体部側に備えるので、開閉する副体部側に転写部材へのバイアス電圧の印加を制御するバイアス制御基板を設けたり、二次像担持体の着脱時に切断・接続するためのコネクタを設けたりする必要をなくし、容易に二次像担持体を着脱することができる。
【００７０】
請求項４に記載の発明によれば、一次像担持体をエンドレスベルト状とし、掛け回すそのエンドレスベルト状の一次像担持体内にバイアス制御基板を配置するので、一次像担持体内の空間を有効に活用して、同時両面画像形成装置を小型化することができる。
【００７１】
請求項５に記載の発明によれば、作像転写手段に対するバイアス電圧の印加も、バイアス制御基板で制御するので、別途、バイアス制御基板を設けることなく、安価な同時両面画像形成装置を提供することができる。
【００７２】
請求項６に記載の発明によれば、エンドレスベルト状の一次像担持体内にバイアス制御基板とは別のバイアス制御基板を別体に配置し、その別のバイアス制御基板により作像転写手段に対するバイアス電圧の印加を制御するので、バイアス制御基板、または、別のバイアス制御基板のいずれか一方を交換する際に、必要な方だけを交換することができ、安価な同時両面画像形成装置を提供することができる。
【００７３】
請求項７に記載の発明によれば、一次転写手段に、二次像担持体を挟んで転写部材に対向して裏当て部材をアースして備えるので、一次像担持体から二次像担持体への転写を確実に行うことができる。
【図面の簡単な説明】
【図１】この発明の同時両面画像形成装置の一例として示す同時両面画像形成プリンタであり、その内部機構の全体概略構成図である。
【図２】その一部拡大図である。
【図３】その他例の一部拡大図である。
【図４】従来の同時両面画像形成装置の主要部の概略構成図である。
【符号の説明】
１０　　画像形成装置本体
１０Ａ　　主体部
１０Ｂ　　副体部
１２　　作像担持体
１５　　作像転写手段
２０　　一次像担持体
２２　　一次ローラ（転写部材）
２５　　裏当てローラ（裏当て部材）
２６　　一次転写手段
３０　　二次像担持体
３６　　二次転写手段
６０　　第１バイアス制御基板（別体のバイアス制御基板）
６１　　第２バイアス制御基板（バイアス制御基板）
Ａ，Ｂ，Ｃ，Ｄ　　作像装置
Ｅ　　一次像担持装置
Ｆ　　二次像担持装置
Ｇ　　媒体搬送装置
Ｐ　　記録媒体
【図１】
2004133201.tif 000003
【図２】
2004133201.tif 000004
【図３】
2004133201.tif 000005
【図４】
2004133201.tif 000006